(57)【要約】【課題】  キャビネット設置後の寸法調整をともなう目地材の壁面との隙間への取付けを簡便かつ容易とし、作業性に優れたものとする。【解決手段】  断面Ｌ字型の目地材５は、長手方向に切断可能な前面調整片部５Ａと端部からの切り込み固定部５Ｂ１を有するキャビネット側板への固定片部５Ｂとを備えたものとし、キャビネット１設置後の壁面２との隙間Ｗの寸法に合わせて前面調整片部５Ａが切断されるとともに、キャビネット側板１Ａに配設された突起部１Ｂに固定片部５Ｂの切り込み固定部５Ｂ１が前方Ｆより押し込み係合されて目地材が取付け固定される。【選択図】図１
2006325779.tif 000002
【特許請求の範囲】
【請求項１】
キャビネット設置後に前方より目地材を押し込んでキャビネットと壁面との間の隙間を遮蔽する目地材の遮蔽取付け構造であって、断面Ｌ字型の目地材は、長手方向に切断可能な前面調整片部と端部からの切り込み固定部を有するキャビネット側板への固定片部とを備え、キャビネット設置後の壁面との隙間寸法に合わせて前面調整片部が切断されるとともに、キャビネット側板に配設された突起部に固定片部の切り込み固定部が押し込み係合されて目地材が取付け固定されることを特徴とする目地材の遮蔽取付け構造。
【請求項２】
キャビネット側板に配設された突起部は、ねじ、ビスまたはピンであることを特徴とする請求項１の目地材の遮蔽取付け構造。
【請求項３】
目地材の固定片部は、その断面において端部から前面調整片部までの中間でキャビネット側板から離れる湾曲形状を有し、これによるバネ弾発力が生じることを特徴とする請求項１または２の目地材の遮蔽取付け構造。
【発明の詳細な説明】
【技術分野】
【０００１】
本発明は、洗面化粧台や収納庫等のキャビネットと壁面との間の隙間を遮蔽するための目地材の遮蔽取付け構造に関するものである。
【背景技術】
【０００２】
従来より、洗面化粧台等のキャビネットと壁面との間の隙間を埋めて遮蔽するために各種の目地材が用いられてきている。
【０００３】
たとえば図５に示したように、洗面化粧台等のキャビネット１の壁面２に接近しての設置では両者の間に隙間Ｗが生じる場合が多い。このような隙間Ｗは図５のようにキャビネット１の片側だけでなく、図６の平面図に示したように、壁２、壁３の間にキャビネット１を配置する場合にはその両側にも生じることが多い。そこで従来では、この隙間Ｗを遮蔽するように、たとえば図７のような板状片やブロック片、あるいは断面Ｌ字型体の目地材４をキャビネット１の側板にねじやビスで固定して取付けるようにしてきている。
【０００４】
しかしながら、このような目地材４の板状片やブロック片の場合には、隙間Ｗに合わせての厚み寸法の調整が容易ではなく、またこれらに比べて比較的寸法調整が容易な断面Ｌ字型体の場合であっても、いずれもキャビネット１の側板に取付け固定してからキャビネット１を壁面２、さらには壁面２、３に接近して設置するため寸法の微調整は困難であるという問題があった。
【０００５】
そこで、従来でも、このような寸法調整をともなう目地材取付けのための作業性が悪いという問題点を解消するために、キャビネット設置後に目地材による遮蔽を可能とする構造が提案されている。たとえば、図８に示した構造では、キャビネット１の側板に固定される取付け部材４Ａと隙間を塞ぐカバー部材４Ｂとが一体化されたものを目地材とし、カバー部材４Ｂを折り曲げてその先端部の軟質樹脂４Ｃを屈曲させて壁面２に当接させている（特許文献１）。また、図９に示した構造では、キャビネットへの取付け部材４Ａに断面Ｌ字型となるように一体化した取付け板４Ｄにフイラー４Ｅをスライド自在に保持し、このフイラー４Ｅのスライドによって、上記の隙間Ｗに対応した寸法調整ができるようにしている（特許文献２）。
【０００６】
ただ、先端に軟質樹脂４Ｃを有する目地材は、特殊な樹脂構成を有し、製造上のコスト負担が大きいだけでなく、先端軟質樹脂４Ｃを強制的に屈曲させて当接させることで、経時的な変形や劣化が懸念され、しかも外観上も異質感があり、好ましいものではない。一方、フイラー４Ｅをスライドさせて寸法調整可能とした目地材の場合には、その構成が複雑で、製造は容易ではなく、フイラー４Ｅのスライドが円滑に行えるかどうかが懸念される。
【特許文献１】特開２００４−３０５２８８号公報
【特許文献２】特開平７−２８９３６４号公報
【発明の開示】
【発明が解決しようとする課題】
【０００７】
本発明は、以上のとおりの背景から、従来の問題点を解消し、その構成がシンプルで、変形や劣化の懸念も大きくなく、製造上の負担も大きくない目地材を用いることができ、キャビネット設置後の寸法調整をともなう目地材の取付けが簡便かつ容易な、作業性に優れた、キャビネットと壁面との間の隙間を遮蔽するための目地材の新しい取付け構造を提供することを課題としている。
【課題を解決するための手段】
【０００８】
本発明の目地材の遮蔽取付け構造は、上記の課題を解決するものとして以下のことを特徴としている。
【０００９】
第１：キャビネット設置後に前方より目地材を押し込んでキャビネットと壁面との間の隙間を遮蔽する目地材の遮蔽取付け構造であって、断面Ｌ字型の目地材は、長手方向に切断可能な前面調整片部と端部からの切り込み固定部を有するキャビネット側板への固定片部とを備え、キャビネット設置後の壁面との隙間寸法に合わせて前面調整片部が切断されるとともに、キャビネット側板に配設された突起部に固定片部の切り込み固定部が押し込み係合されて目地材が取付け固定される。
【００１０】
第２：キャビネット側板に配設された突起部は、ねじ、ビスまたはピンである。
【００１１】
第３：目地材の固定片部は、その断面において端部から前面調整片部までの中間でキャビネット側板から離れる湾曲形状を有し、これによるバネ弾発力が生じる。
【発明の効果】
【００１２】
上記第１の発明の構造によれば、その構成がシンプルで、変形や劣化の懸念も大きくなく、製造上の負担も大きくない目地材を用いることができ、キャビネット設置後の寸法調整をともなう目地材の取付けが簡便かつ容易な、作業性に優れた、目地材の取付けが可能となる。
【００１３】
第２の発明の構造によれば、キャビネット側板への目地材の取付け固定はより円滑に作業性に優れたものとなり、しかも確実で安定したものとなる。また、第３の発明の構造によれば、バネ弾発力によってこの取付け固定はさらに確実で安定したものとなる。
【発明を実施するための最良の形態】
【００１４】
添付した図面の図１、図２および図３は、本発明の目地材の遮蔽取付け構造の一実施形態の概要を例示した横断面図と分解斜視図、並びに目地材の平面、正面および側面図であ。
【００１５】
この実施形態においては、キャビネット１設置後に前方Ｆより目地材５を押し込んでキャビネット１と壁面２との間の隙間Ｗを遮蔽するに際し、断面Ｌ字型の目地材５として長手方向に切断可能な前面調整片部５Ａと端部からの切り込み固定部５Ｂ１を有するキャビネット側板１Ａへの固定片部５Ｂとを備えるものを用い、キャビネット１設置後の壁面２との隙間Ｗの寸法に合わせて前面調整片部５Ａを切断し、次いで、キャビネット側板１Ａに配設された突起部１Ｂに固定片部５Ｂの切り込み固定部５Ｂ１を押し込み係合させている。
【００１６】
キャビネット側板１Ａに配設された突起部１Ｂとしては、この実施の形態では、図１および図２に示したようにねじを用いている。ねじ以外にも、ビスやピン等の様々な手段であってよく、キャビネット１を設置する前にあらかじめキャビネット側板１Ａに取り付けておくことができる。これらねじ等の突起部１Ｂの存在によって、目地材５は、固定片部５Ｂの切り込み固定部５Ｂ１での突起部１Ｂへの係合による取付け作業がスムーズにガイドされて、かつ、しっかりと確実に行われることになる。
【００１７】
また、上記の実施形態では、目地材１の固定片部５Ｂは、図３にも示したように、その断面において端部５Ｂ２から前面調整片部５Ａまでの中間でキャビネット側板１Ａから離れる湾曲形状５Ｂ３を有し、これによるバネ弾発力が生じるようにしている。
【００１８】
このバネ弾発力によって、固定片部５Ｂは、上記のキャビネット１の突起部１Ｂにしっかりと確実に固定されることになる。このバネ弾発力の利用については、固定片部５Ｂに設けた切り込み固定部５Ｂ１の切り込み長さが、突起部１Ｂでの係合位置にまで達し、この係合位置が図１および図３のように湾曲形状５Ｂ３のほぼ頂部に位置するようにすることがさらに有効である。
【００１９】
キャビネット１と壁面２との間の隙間Ｗの寸法に合わせて長手方向に切断可能とされた前面調整片部５Ａは、その前面が隙間Ｗを遮蔽する外観性を有しているものであるが、この前面調整片部５Ａを長手方向に切断可能とするために、たとえば図４に例示したように、キャビネット１設置の施工現場でのナイフ、カッター等の刃物６での切断作業を行いやすいように、複数の切断ガイド溝５Ａ１を設けておくことが有効でもある。この切断ガイド溝５Ａ１は、たとえば図４に拡大して示したように、片側は垂直ａに、もう一方は傾斜ｂを持つレ字型形状にすると、刃物６による直線状の切断を容易に行うことができる。切断ガイド溝５Ａ１は、一定の間隔を置いて規則的に設けておくことが寸法調整の作業性を向上させるとの観点から好適に考慮される。
【００２０】
以上の説明において、目地材５は、上記の切断が可能であれば木質製、樹脂製等の各種素材によって製造されたものでよく、シンプルな構成としてその製造は容易でもある。
【００２１】
もちろん、本発明の目地材取付け構造は以上の例によって限定されるものではない。その細部の形態について様々に可能とされる。
【図面の簡単な説明】
【００２２】
【図１】一実施形態を例示した横断面概要図である。
【図２】図１に対応する分解斜視図である。
【図３】図１および図２の場合の目地材を例示した平面図、正面図および側面図である。
【図４】目地材の切断ガイド溝と刃物による切断を示した概要斜視図である。
【図５】キャビネットと片側壁面との間の隙間について示した斜視図である。
【図６】キャビネットと両側壁面との間の隙間について示した斜視図である。
【図７】隙間を遮蔽する従来の目地材の取付けについて示した分解斜視図である。
【図８】先端に軟質樹脂を有する折り曲げ可能な目地材を示した断面・斜視図である。
【図９】スライド可能フイラーを備えた目地材を示した断面・斜視図である。
【符号の説明】
【００２３】
１    キャビネット
１Ａ    側板
１Ｂ    突起部
２、３    壁
４    目地材
４Ａ    取付け部材
４Ｂ    カバー部材
４Ｃ    軟質樹脂
４Ｄ    取付け板
４Ｅ    フイラー
５    目地材
５Ａ    前面調整片部
５Ａ１    切断ガイド溝
５Ｂ    固定片部
５Ｂ１    切り込み固定部
５Ｂ２    端部
５Ｂ３    湾曲形状
６    刃物
Ｗ    隙間
Ｆ    前方
ａ    垂直
ｂ    傾斜
【図１】
2006325779.tif 000003
【図２】
2006325779.tif 000004
【図３】
2006325779.tif 000005
【図４】
2006325779.tif 000006
【図５】
2006325779.tif 000007
【図６】
2006325779.tif 000008
【図７】
2006325779.tif 000009
【図９】
2006325779.tif 000010
【図８】
2006325779.tif 000011